(57)【要約】【課題】この発明は、交差する支柱を強固に固定することができる樹木支持用の支柱固定部材および樹木支持構造を提供する。【解決手段】  支柱固定部材は、一方の支柱に外嵌可能な第１筒状リングと、他方の支柱に外嵌可能な第２筒状リングと、該第２筒状リングから外方へ突出する第１締付具と、前記第１筒状リングの周壁から突出すると共に、前記第１締付具に螺合して第１筒状リング内へ突出させるネジ孔を有し、該第１締付具の先端で前記第１筒状リング内に嵌合した支柱を固定する第１ネジ受部と、該第１ネジ受部に外嵌して螺合するナット部と、前記第１締付具に外嵌したバネ座金と、前記第２筒状リングの周壁に形成された第２ネジ受部と、該第２ネジ受部に螺合して他方の支柱を固定する第２締付具とからなることを特徴とする。【選択図】図１
2008092896.tif 000002
【特許請求の範囲】
【請求項１】
樹木を支持する支柱相互を固定する支柱固定部材において、
一方の支柱に外嵌可能な第１筒状リングと、
他方の支柱に外嵌可能な第２筒状リングと、
該第２筒状リングの周壁から外方へ突出するネジ棒状の第１締付具と、
前記第１筒状リングの周壁から外方へ突出すると共に、前記第１締付具を螺進退可能に螺合して第１筒状リングの中空内へ突出させるネジ孔を有し、該ネジ孔から突出した第１締付具の先端で前記第１筒状リング内に嵌合した一方の支柱を固定させうる第１ネジ受部と、
該第１ネジ受部に螺進退可能に外嵌するナット部と、
前記第１締付具に外嵌しており、上記ナット部に衝合可能なバネ座金と、
前記第２筒状リングの周壁に形成されて、雌ネジが切られた孔を有する第２ネジ受部と、
該第２ネジ受部に螺進退可能に螺合して前記第２筒状リング内に嵌合した他方の支柱を固定するボルトなどの第２締付具とからなることを特徴とする樹木支持用の支柱固定部材。
【請求項２】
第１締付具のネジの回転方向と、ナット部のネジの回転方向とが逆向きに設定されていることを特徴とする請求項１に記載の樹木支持用の支柱固定部材。
【請求項３】
第１締付具と第２締付具とが第２筒状リングの直径方向の同一線上に配置されていることを特徴とする請求項１または２に記載の樹木支持用の支柱固定部材。
【請求項４】
樹木を支持する支柱相互を交差する個所で固定する支柱固定方法において、
一方の支柱に第１筒状リングを外嵌し、
該第１筒状リングの一端に基端が固定されて外方へ突出する第１ネジ受部に第２筒状リングの一端に基端が固定されて外方へ突出するネジ棒状の第１締付具を第２筒状リングを回転させながら締め付け、
上記第１ネジ受部には螺進退可能に外嵌するナット部を螺着し、
前記第１締付具にはバネ座金を外嵌しておき、
前記第１締付具により一方の支柱を固定すると共に、第２筒状リングを他方の支柱が挿入可能な向きに回転し、
他方の支柱を上記第２筒状リングに挿入し、第２筒状リングに形成された第２ネジ受部にボルトなどの第２締付具を螺合して固定し、
前記ナット部を第１ネジ受部に沿って第２筒状リングに接近する方向に締め付けて前記バネ座金をナット部と第２筒状リングの周壁との間で挟圧し、該バネ座金のナット部への反発力で第１締付具と第１ネジ受部とを強固に緊締してなることを特徴とする樹木支持用の支柱固定方法。
【発明の詳細な説明】
【技術分野】
【０００１】
本発明は、街路樹などの樹木を支持するための鳥居型支柱などに用いる樹木支持用の支柱固定部材および樹木支持構造に関する。
【背景技術】
【０００２】
従来、街路樹などの樹木を支持するため鳥居型支柱（図示例は三脚鳥居型支柱）として、図９に示すように、樹木Ｔを囲むように丸太からなる支柱Ｓ１、Ｓ２，Ｓ３を縦、横に沿わせて、交差した個所に釘を打ち込んで固定し、更に交差した個所に鉄線を巻き付ける構成が用いられている。
しかし、釘を用いるので、点または線接触による固定であって、強力に固定することができず、また、これを補強するために鉄線を巻き付けるには熟練を要し、作業に手間と時間がかかるという問題点があった。
一方、例えば特開２００１−２５８４０８では、芯材が金属性パイプで、表面を産業廃棄物利用のプラスチックを使用し擬木の形状で成形した支柱・横木・腕木・添え木からなって、ボルト・ナットで、樹木の成長に応じ固定及び固定位置の移動を可能にし、締結具で締結する構成が開示されている。
締結具は、材料をゴム又は再生ゴムを使用したベルト形で弾力性に優れ、弾性変形するもので、止金具で固定できるようになっている。
この構成の場合も縦向きの支柱と横向きの横木とは、交差した位置でボルト・ナットにより固定しており、樹木に掛け渡される前記締結具の端部も止金具を介して固定しているが、支柱と横木、腕木と横木の交差個所はボルト・ナットによる固定だけであるので、ボルト・ナットによる点または線による固定であって、強力に固定することができない欠点がある。
【０００３】
【特許文献１】特開２００１−２５８４０８号公報
【発明の開示】
【発明が解決しようとする課題】
【０００４】
この発明は、上記事情に鑑みて創案されたものであって、その主たる課題は、支柱固定部材の筒状リングを丸太からなる交差した支柱に嵌め込んで固定するので、筒状リングの内周面が支柱の外壁面と広範囲の面で接触し、交差する支柱を強固に固定し、熟練を要さず、誰でも簡単に作業を行うことができる樹木支持用の支柱固定部材および樹木支持構造を提供することにある。
また、この発明では、支柱固定部材と補助支柱固定部材とを用いることで、３方向に交差する支柱を簡単に且つ強固に固定することができる樹木支持用の支柱固定部材および樹木支持構造を提供することにある。
【課題を解決するための手段】
【０００５】
この発明は、上記課題を解決するために、請求項１の樹木支持用の支柱固定部材の発明では、
一方の支柱に外嵌可能な第１筒状リングと、
他方の支柱に外嵌可能な第２筒状リングと、
該第２筒状リングの周壁から外方へ突出するネジ棒状の第１締付具と、
前記第１筒状リングの周壁から外方へ突出すると共に、前記第１締付具を螺進退可能に螺合して第１筒状リングの中空内へ突出させるネジ孔を有し、該ネジ孔から突出した第１締付具の先端で前記第１筒状リング内に嵌合した一方の支柱を固定させうる第１ネジ受部と、
該第１ネジ受部に螺進退可能に外嵌するナット部と、
前記第１締付具に外嵌しており、上記ナット部に衝合可能なバネ座金と、
前記第２筒状リングの周壁に形成されて、雌ネジが切られた孔を有する第２ネジ受部と、
該第２ネジ受部に螺進退可能に螺合して前記第２筒状リング内に嵌合した他方の支柱を固定するボルトなどの第２締付具とからなることを特徴とする。
また、請求項２の発明では、
前記第１締付具のネジの回転方向が、ナット部のネジの回転方向と逆向きに設定されていることを特徴とする。
請求項３の発明では、
前記第１締付具と第２締付具とが第２筒状リングの直径方向の同一線上に配置されていることを特徴とする。
【０００６】
請求項４の樹木を支持する支柱相互を交差する個所で固定する支柱固定方法では、
一方の支柱に第１筒状リングを外嵌し、
該第１筒状リングの一端に基端が固定されて外方へ突出する第１ネジ受部に第２筒状リングの一端に基端が固定されて外方へ突出するネジ棒状の第１締付具を第２筒状リングを回転させながら締め付け、
上記第１ネジ受部には螺進退可能に外嵌するナット部を螺着し、
前記第１締付具にはバネ座金を外嵌しておき、
前記第１締付具により一方の支柱を固定すると共に、第２筒状リングを他方の支柱が挿入可能な向きに回転し、
他方の支柱を上記第２筒状リングに挿入し、第２筒状リングに形成された第２ネジ受部にボルトなどの第２締付具を螺合して固定し、
前記ナット部を第１ネジ受部に沿って第２筒状リングに接近する方向に締め付けて前記バネ座金をナット部と第２筒状リングの周壁との間で挟圧し、該バネ座金のナット部への反発力で第１締付具と第１ネジ受部とを強固に緊締してなることを特徴とする。
【発明の効果】
【０００７】
この発明の樹木支持用の支柱固定部材では、第１筒状リングと第２筒状リングとをネジ棒状の第１締付具で螺合して第２筒状リングを回転可能としたので、一方の支柱に第１筒状リングが嵌め込まれていても、前記一方の支柱と他方の支柱との角度に対応して第２筒状リングを回転することができ、第１筒状リングと第２筒状リングとを最適の角度で固定することができる。
そして、前記第１締付具を第１ネジ受部のネジ孔に螺進することで第１ネジ受部に螺着されたナット部の先端と第２筒状リングの外周壁とによって前記バネ座金が反発可能に挟圧されて螺着状態をロックすることができる。
また、第１ネジ受部の外側にナット部を螺合しておくことで、ナット部により一層強固にロックすることができる。
【発明を実施するための最良の形態】
【０００８】
この発明では、第１筒状リングと第２筒状リングとを第１締付具で螺着して連結すると共に、第１ネジ受部に螺合したナット部を用いてバネ座金を押圧し、その反発力を用いて第１締付具と第１ネジ受部との螺合状態を緊締することで、作業の容易性、迅速性という目的を、実現した。
【実施例１】
【０００９】
以下にこの発明の支柱固定部材の好適実施例について、図面を参照しながら説明する。
図１から図５に示す支柱固定部材１は、第１支柱Ｓ１に外嵌可能な第１筒状リング２と、前記第１支柱Ｓ１と交叉する第２支柱Ｓ２に外嵌可能な第２筒状リング５とを有している。
【００１０】
［第１筒状リング］
第１筒状リング２は、金属製からなるベルト状のリングであって、比較的短い幅を有し、支柱に外嵌可能な径に設定された貫通孔を備えている。
【００１１】
［第１ネジ受部］
該第１筒状リング２の周壁には、筒体からなって外方へ突出すると共に、後述の第１締付具６を螺進退可能に螺合する雌ネジからなる内ネジ３ａを内周壁面に刻設した第１ネジ受部３が形成されている。
該第１ネジ受部３は、本実施例の場合、筒体からなっており、その外周壁面には雄ネジからなる外ネジ３ｂが刻設されている。
【００１２】
［ナット部］
上記第１ネジ受部３には、ナット部４が外嵌されて螺合している。
このナット部４は、その端面が後述のバネ座金１０に衝合して押圧可能な外径を有している。
該ナット部４は、第１ネジ受部３の外ネジ３ｂに螺進退可能に螺合している。
このナット部４は第１締付具６のネジの締付方向と反対方向に締め付けるようにねじの締付方向が設定されていることが好ましい。
そして、第１締付具６の締付方向に対してナット部４を逆に回転して後述のバネ座金１０を押圧するようになっている（図５参照）。
【００１３】
［第２筒状リング］
次ぎに、第２筒状リング５は、金属製からなるベルト状のリングであって、比較的短い幅を有し、支柱に外嵌可能な径に設定された貫通孔を備えており、本実施例では前記第１筒状リング２と同一の大きさからなっている。
該第２筒状リング５の周壁には、一端から外方へ突出するネジ棒、即ち、外周に雄ねじが刻設された棒状の第１締付具６が設けられている。
【００１４】
［第１締付具］
第１締付具６は、図示例の場合、スタッドボルト構成からなっているが、ボルトの頭部を第２筒状リング５の周壁に溶着するものであってもよい。
この第１締付具６は、図示例の場合、先端が断面テーパ状に尖鋭化しており、第１ネジ受部３に螺合して先端が第１筒状リング２の中空内に突出し、第１筒状リング２が外嵌した第１支柱Ｓ１に食い込んで固定することができる。
ここで第１締付具６は、先端に断面円弧状の衝合板を有して支柱を押圧するものであってもよい。
【００１５】
［バネ座金］
前記第１締付具６には、バネ座金１０が外嵌される。
バネ座金１０は、リング状の本体の一端が切りかかれて捻られた公知のバネ座金１０からなっており、ナット部４の押圧によって第２筒状リング５の周壁に反発しながら押し付けられる（図５参照）。
【００１６】
［第２ネジ受部］
また、第２筒状リング５の周壁で、前記第１締付具６と直径方向に対向する個所には、雌ネジが切られた孔を有する第２ネジ受部７が形成されている。
該第２ネジ受部７は、図示例の場合、第２筒状リング５を筒状に切り起こして、内周にネジを切った構成からなっているが、後述のようにナットを溶着したものでもよい。
【００１７】
［第２締付具］
この第２ネジ受部７にはボルトからなる第２締付具９が螺進退可能に螺合している。
該第２締付具９は、第２ネジ受部７に螺合して先端が第２筒状リング５の中空内に突出し、第２筒状リング５が外嵌した第２支柱Ｓ２を固定することができる。
【００１８】
この第２締付具９は、図示例の場合、先端が断面テーパ状に尖鋭化しており、第２ネジ受部７に螺合して先端が第２筒状リング５の中空内に突出し、第２筒状リング５が外嵌した第２支柱Ｓ２に食い込んで固定することができる。
ここで第２締付具９は、第１締付具６と同様に、先端に断面円弧状の衝合板を有して支柱を押圧するものであってもよい。
なお図中、符号８はナットである。
【００１９】
［支柱固定部材の使用法］
上記構成からなっているので、バネ座金１０を外嵌した第１締付具６の先端をナット部４を螺合した第１ネジ受部３に浅く螺合し、また、第２締付具９の先端を第２ネジ受部７に浅く螺合した状態で、第１筒状リング２と第２筒状リング５とを連結して支柱固定部材１を図２に示すような使用状態とする。
【００２０】
また、樹木Ｔを固定する支柱は、図９に例示するように、第１支柱Ｓ１および第２支柱Ｓ２は木製の丸太からなっており、縦向きの支柱は先端が鋭く削られた杭形状をしており、横向きの支柱は両端が平らになった公知の形状をしている。
そして、前記第１筒状リング２および第２筒状リング５は、前記支柱Ｓ１、Ｓ２より大径に設定されている。
【００２１】
この支柱固定部材１を用いて支柱を固定する一例として、図９に示す二脚鳥居型にする場合には、図３に示すように、まず横向きの第１支柱Ｓ１に第１筒状リング２を通し、第２筒状リング５を回転して第１締付具６を第１ネジ受部３に螺合させて第１筒状リング２の中心に向かって螺進させ、その先端を前記第１支柱Ｓ１に食い込ませて第１支柱Ｓ１に第１筒状リング２を固定する。
【００２２】
そして、第２筒状リング５は、図３および図４に示すように第２支柱Ｓ２の打ち込み方向に対して直交するように回して微調整する。
その第２筒状リング５に縦向きの第２支柱Ｓ２を先端側から挿入して地面に打ち込む。
次いで、第２締付具９を締め付け方向に回して第２ネジ受部７に螺合し、その先端を第２筒状リング５の中心に向かって螺進させ、第２支柱Ｓ２に食い込ませて、図４に示すように第２筒状リング５に第１支柱Ｓ１を固定する。
【００２３】
ここで、上記第２筒状リング５は、第２支柱Ｓ２に嵌合しうるようにその姿勢を調整する必要があるので、前記第１締付具６は必ずしも第１ネジ受部３に隙間無く緊締されるわけではない。
そこで、図５（ａ）に示すように第１締付具６と第１ネジ受部３との間に僅かな隙間が生じている場合に、ナット部４を第１ネジ受部３から螺退方向（第２筒状リング５に接近する方向）に回して、図５（ｂ）に示すように、第１締付具６に外嵌したバネ座金１０を第２筒状リング５の周壁面との間で強く挟圧する。
【００２４】
この際に、ナット部４は第１ネジ受部３から外れず螺合状態を維持できるように第１ネジ受部３の長さが設定されなければならない。
そして、前記ナット部４は、押圧したバネ座金１０の反発力によって、螺合位置で拘束される。
これにより、第１筒状リング２と第２筒状リング５とは前記第１支柱Ｓ１、第２支柱Ｓ２を固定した姿勢で強固に固定されることになるので、第１支柱Ｓ１や第２支柱Ｓ２に荷重がかかっても樹木に対する拘束姿勢を確実に維持することができる。
【００２５】
支柱固定部材１は、交叉する支柱を固定するもので、例えば３本の支柱を固定する方法について図６を参照しながら説明する。
例えば、横向きの第１支柱Ｓ１’に第１の支柱固定部材１の第１筒状リング２を通してこれを固定する（図６（ａ）参照）。
【００２６】
次いで、上記支柱固定部材１の第２筒状リング５と、第２の支柱固定部材（説明の便宜上、符号に「’」を付加する、以下、同じ）の第１筒状リング２’とを整合し、その中空内に第２支柱Ｓ２’を通す。
【００２７】
そして、前記第２筒状リング５は第２締付具９を締付けて第２支柱Ｓ２’に固定し、ナット部４を螺退させて第１の支柱固定部材１の第１筒状リング２と第２筒状リング５とを固定する。
また、第２の支柱固定部材１’の第１筒状リング２’は第１締付具６’を締め付けて第２支柱Ｓ２’に固定する（図６（ｂ）（ｃ）参照）。
【００２８】
次いで、第２の支柱固定部材１’の第２筒状リング５’に第３の支柱Ｓ３’を挿入し地中に打ち込む。
そして、上記第３の支柱Ｓ３’に第２締付具９を螺進させて食い込ませて第２筒状リング５’を第３の支柱Ｓ３’に固定し、ナット部４’を螺退させて第２の支柱固定部材１’の第１筒状リング２’と第２筒状リング５’とを固定する（図６（ｄ）参照）。
このように、支柱固定部材１は、交叉する支柱であればどのような向きであっても使用することができる。
【実施例２】
【００２９】
図８は、支柱固定部材１の別の実施例を示す。
この支柱固定部材１では、第１筒状リング２および第１ネジ受部３の構成は前記実施例と同様であるが、第２ネジ受部７に設けた第１締付具６は、ボルトの頭部を第２筒状リング５の周壁に溶着した構成からなっている。
【００３０】
また、第２ネジ受部７は、第１締付具６に対して、第２ネジ受部７の中心から略９０度変位した位置に配置している。
この第２ネジ受部７は、第２筒状リング５に穴を穿ち、該穴に中空部が連通するようにナットを溶着して構成している。
その他の構成は、前記実施例１と同様であるので、同一構成には同一符号を付してその説明を省略する。
【００３１】
この発明で、樹木Ｔの支持構成は、上記実施例の鳥居型に限定されず、丸太からなる支柱を交差して樹木を支持する構成に用いることができる。
その他、要するにこの発明の要旨を変更しない範囲で種々設計変更しうること勿論である。
【図面の簡単な説明】
【００３２】
【図１】支柱固定部材の組立状態を示す正面から見た分解図である。
【図２】組立状態を示す正面図である。
【図３】支柱固定部材で第１支柱を固定する使用状態を示す正面図である。
【図４】支柱固定部材で第２支柱を固定する使用状態を示す正面図である。
【図５】（ａ）は第１筒状リングと第２筒状リングを固定する第１段階を示す要部拡大図、（ｂ）は第２段階を示す要部拡大図である。
【図６】支柱固定部材を用いて３本の支柱を固定する場合の説明図であって、（ａ）は第１支柱に第１の支柱固定部材の第１筒状リングを固定した状態の図、（ｂ）は第２支柱に第１の支柱固定部材の第２筒状リングと第２の支柱固定部材の第１筒状リングを固定した状態の図、（ｃ）は同平面図、（ｄ）第２の支柱固定部材に第３支柱を固定した状態の図である。
【図７】同斜視図である。
【図８】異なる実施例の支柱固定部材の正面図である。
【図９】従来の鳥居型支柱による樹木の支持構造を示す側面図である。
【符号の説明】
【００３３】
１    支柱固定部材
２    第１筒状リング
３    第１ネジ受部
３ａ  内ネジ
３ｂ  外ネジ
４    ナット部
５    第２筒状リング
６    第１締付具
７    第２ネジ受部
８    ナット
９    第２締付具
１０    バネ座金
Ｓ１    第１支柱
Ｓ２    第２支柱
Ｓ３    第３支柱
Ｔ    樹木
【図１】
2008092896.tif 000003
【図２】
2008092896.tif 000004
【図３】
2008092896.tif 000005
【図４】
2008092896.tif 000006
【図５】
2008092896.tif 000007
【図６】
2008092896.tif 000008
【図７】
2008092896.tif 000009
【図８】
2008092896.tif 000010
【図９】
2008092896.tif 000011